(57)【特許請求の範囲】
【請求項１】
上下の水平縁に沿って延び、構造物から離れて突出する上下のフランジをそれぞれ備えた複数枚の長尺のタイル支持体を、構造物に1枚ずつ順に、水平に固定し、前記タイル支持体の上部フランジの垂れ下がっているリップを、その上側のタイル支持体の下部フランジの上方へ開口する溝に挿入することにより上下のフランジを相互に噛み合わし、横一列のタイルをそれらのフランジの間にクリップ留めする、構造物を外装仕上げする方法。
【請求項２】
外装仕上される構造物に、水平に延び、一枚ずつ順に配される長尺の複数のタイル支持体が設けられ、それらの支持体はウエブ部分を有すると共に、その構造物から離れて突出する、垂直方向に間隔を置いて配列される対のフランジが設けられ、それらのフランジのうちの上部フランジが、下方に開口する溝を形成するリップを有し、それらのフランジのうちの下部フランジが、その上面にタイル保持用の突出部と、すぐ下のタイル支持体の上部フランジのリップを噛み合わす上方に開口する溝を有する下方に突出したフック状のプロファイルとを有し、それぞれのタイルが、それぞれの支持体に嵌められているとともに、上縁から上方へ突出するフランジを有し、上方へ突出しているフランジが、それぞれのタイルの前面から間隔をあけて配されており、それぞれのタイルはまた後面の下部領域から突出するリブを有し、前記上方突出フランジが、組立の際に前記上部フランジの溝の中へ上向きに入れられ、前記リブが前記下部フランジの突出部の後方に挿入され、それにより、一番下の列より上側にくるそれぞれタイルの一部が、そのすぐ下の列における１枚あるいは複数枚のタイルの一部あるいは複数部分から間隔を置いて配されているタイル吊り下げ方法。
【請求項３】
前記タイル同士の隙間を目地塗りする請求項１または２記載の方法。
【請求項４】
構造物に対して一枚ずつ順に重ねられた、水平に延びている複数枚のタイル支持体を備えており、それぞれのタイル支持体が上縁および下縁に沿って延び、その構造物から離れる方向に突出するフランジを備えており、それぞれのタイル支持体の上部フランジの少なくとも一部が下方に延びるリップを備えると共に、それぞれのタイル支持体の下部フランジの少なくとも一部が上方に開口する溝を有するフックを備えており、一番上のタイル支持体を除いたタイル支持体の上部フランジのリップを、その上に隣接するタイル支持体の下部フランジのフックに挿入し、上下フランジの間にタイルの一列を保持している外装仕上構造物。
【請求項５】
一枚ずつ順に配された複数枚の長尺のタイル支持体を備え、それらの支持体に、垂直に間隔を置いて配され、その構造物から離れる方向に突出するフランジが設けられ、それらの支持体が、下側へ延びるリップを有する上部フランジと、その上面にタイル保持用の突出部を有する下部フランジとを含んでおり、タイル支持体の上部フランジのリップが、上に隣接するタイル支持体の下部フランジの上方に開口する溝に挿入され、これら係合されたフランジが下方に開口する溝をウエブに定め、それぞれのタイルが、それぞれの上縁から上方へ突出しているフランジを有し、その上方突出フランジが、それぞれのタイルの前面から間隔を置いて配されており、それぞれのタイルがさらに、それぞれのタイルにおける背面の下部領域から突出しているリブを有しており、それぞれのタイルの上方突出フランジが、その係合されたフランジによって下方に開口する溝に収容されており、タイルのリブが、支持体の下部フランジの突出部の後方に保持されており、それによって、一番下の列の上方の列におけるそれぞれのタイルが、そのすぐ下の列における１枚あるいは複数枚のタイルから間隔を置いて配されている外装仕上構造物。
【請求項６】
それらのタイルの間における隙間が、目地塗りされている請求項４または５記載の外装仕上構造物。
【請求項７】
それらのタイルにおける前方縁の水平寸法および垂直寸法が、従来のレンガのそれらに相当しており、タイルの前面をレンガ壁に似せた請求項４、５、６のいずれか一つに記載の外装仕上構造物。
【請求項８】
長い支持体とタイルとの組み合わせであって、その支持体は、ウエブと、支持体の長い縁から突出する上下に間隔をあけた複数のフランジ、すなわち、溝を定めるリップを有する第１フランジと、この第１フランジに対向し、その表面にタイル保持用の１個あるいは複数個の突出部と、前記リップを挿入する上方へ開口する溝を形成するフック状のプロファイルとを有する第２フランジとを備えており、前記タイルが、１つの縁から突出しているフランジを有し、そのフランジが、タイルの前面から間隔を置いて配されており、それらのタイルがさらに背面の下部領域から後方へ突出しているリブを有している、支持体とタイルとの組み合わせ。
【発明の詳細な説明】
【０００１】
鉄骨ビルディングは、従来のレンガ積み工法を用いて造られたビルディングに比して、比較的安くかつ速く建てることができるが、外観は従来のレンガ造りビルディングの方がすぐれていることが多い。この提案は、レンガ壁の類似物を造る方法に関するものであり、鉄骨ビルディングあるいは他の構造物の壁を外装仕上するために利用することができるものである。
【０００２】
図面において、
図１はタイル支持体を通して切断した寸法入り垂直断面図であり、
図２はレンガの類似物を造るのに使われる単一のタイルを通して切断した寸法入り垂直断面図であり、
図３はタイル支持体に支持されるタイルを通して切断した垂直断面図であり、
図４はピップの配置を図示するための、レンガ壁に似せたタイルの配列を示す正面図であり、
図５は図３に類似する図であるが、タイルとタイル支持体との変形構成を示している。
【０００３】
図１を参照して、タイル支持体は、金属の長尺材を図示の断面形状に折り曲げることにより形成されている。この長尺材は、アルミニウム、アルミニウム合金あるいは他の適切な材料から形成することができる。長尺材を紙面に垂直な水平中心線で水平に延ばすことを考慮すれば、その長尺材には、その上縁に沿って下方へ傾斜したフランジ３と、その下縁に沿った水平なフランジ５とが備わっていることがわかる。
【０００４】
両方のフランジは、ここでその支持体の前方側とみなされる部分から延びている。フランジ３は、垂れ下がっているリップ４で終わる。フランジ５は、垂れ下がっているフック状のプロファイル６で終わり、これによって、その後方側において上方へ開口する溝８が定められている。この長尺材のウエブ９には、ねじ孔を明けるのを容易にするための水平な罫書き線１０が付けられている。ピップ１２は、間隔を置いて、フランジ５から上向きにプレス加工されている。少なくとも一方のフランジは、ウエブに対するばね弾性が付与されている。
【０００５】
支持体は、外装仕上される壁と同じ長さに切断してもよく、あるいは端と端とが順に隣接するように複数枚の支持体を配置することができる。
【０００６】
支持体に取り付けられるタイルは、図４に示すように正面形状がほぼ長方形である。このタイルは、粘土、セメントあるいは合成材料から製造することができる。このタイルを紙面に垂直な水平中心線に沿って水平に延ばすことを考慮すると、その形状は図２に示された垂直断面形状をしている。このタイルの主要本体部分２０には前面２２があり、その前面２２は、類似物の造られるレンガの主要寸法に対応する寸法にされている。第１フランジ２４は、そのフランジの前面がタイル面２２から後方へ間隔をあけるように、タイルの長さの全体にわたって、本体２０から上方へ延びている。このフランジ２４は上縁２５で終わり、その背面は縁２５に面する部位で面取りされている。タイルの下縁から、その前面２２の高さのほぼ３分の１の間隔をあけた部位に、リブ２６がそのタイルの後方側の長さで水平に延びている。このリブは、その下面にアンダーカットした溝２８ができるように形成されている。フランジ２４とリブ２６との間には溝３０が定められている。このタイルは、リブ２６から下方へ延びて、水平な下縁３２で終わる。フランジ２４の背面とリブ２６の背面とは、同一平面内にある。フランジ２４とリブ２６とがタイルの長さにわたって延びるということは必須ではなく、それぞれは、間隔を置いたリブを構成するように、とぎれた形態のものであってもよい。
【０００７】
タイルとタイル支持体との垂直断面における好ましい寸法は、単なる例示として、図１および図２においてミリメートルで表示されている。タイルの水平に延びている両方の縁部は、吊り下げが容易になるように、図示のごとく丸みを帯び、面取りしている。図１のウエブ９の寸法「７５ｍｍ」は、折り曲げ点からの寸法であり、実寸は約７４．１４３７ｍｍである。
【０００８】
ついで図３を参照して、壁あるいは他の支持体の面は、まず図１に示されたタイル支持体の列を、上側の支持体のリップ４をすぐ下の支持体の溝８に相互嵌合させながら一枚ずつ上下の順で固定していくことにより外装される。それらの支持体は、壁にねじ止めされ、かつ支持体のウエブに線１０に沿って明けられた孔を通るネジないしボルト４０によって、次々と定位置へ取り付けていくのが便利である。支持体の取り付けが壁の下端から始まるとすれば、１枚の支持体を定位置へ取り付けた後、そのリップ４は、次に同様にして定位置へネジ止めないしボルト締めされるすぐ隣りの支持体の溝８に相互嵌合される。もちろん、これらの支持体を、壁の上端から始まって壁の下端で終わるように、逆の順序で固定していってもよい。
【０００９】
前記タイルは、一番下のタイルの列のフランジ２４を、プロファイル６およびウエブ９によって定められる溝４２に差し上げる（offering up ）ことによって嵌め込むことができる。それぞれのタイルのフランジ２４は、フランジ３を上方へ押してリブ２６の底がピップ１２を越えて動くようにし、タイルを図３に示す位置に至らせるように使用される。この位置では、ネジないしボルト４０の頭部４１は溝３０の内部に受け入れられ、ピップ１２は溝２８の内部に受け入れられ、タイルがすべり落ちることを抑制する。フランジ３は、タイルを下方へ押し付けるばね力をもたらす。隣りの列のタイルは、各列のタイルがそうであるように、従来のレンガ積みにおいて用いられている距離だけ、互いから垂直方向に間隔があけられている。それらのタイルは互いに接していないが、それぞれのタイルの本体部分は、そのタイルのフランジ２４あるいはそのすぐ下のタイルが重なり、かつ、これらの支持体の相互嵌合部分が上に重なるように、下方へ突出している。タイル間の隙間は通常の方法で目地塗りをすることができる。
【００１０】
それぞれのピップ１２は１０ｍｍの長さがあり、またピップ同士の距離はもっとも適切な結果が得られるように選択することができる。図４には、タイルとピップとの関係が５０ｍｍから１１５ｍｍまでのさまざまな範囲で示されているが、その最適な間隔は９５ｍｍである。この間隔が大き過ぎると、タイルの列にとっては支持が不充分になるおそれがあり、逆に小さ過ぎると、長尺材に不要な加工を行わなければならないことになる。タイルを保持するためにピップを使用する代わりに、連続するビードそ備えたフランジ５を設けることができるが、このようにすると、そのビードの後ろに水が溜まるおそれが生じる。
【００１１】
図５は、図３に類似する図であるが、タイルと長尺材との変形構成を示している。とくに、図２および図３に示されたタイルの場合よりも、フランジ２４が短く、タイルの下縁３２はリブ２６に一層近い。これに関連して、それぞれのタイルの下縁３２は、次の低い列のタイルにおけるフランジ２４の上縁２５と実質的に同じ高さであるか、あるいはその上縁２５よりわずかに上にある。このような配列によれば、損傷したタイルの取り外しおよび取り替えが容易になる。それぞれのタイルの溝２８と次の低い列におけるタイルの上縁３３との間の隙間が小さいことを考慮して、長尺材のフック状のプロファイル６もいっそう短く作られている。
【００１２】
現存するシステムと比較すると、この発明によれば、伝統的なレンガ壁を模倣するすぐれた方法が提供される。とくに、この発明によれば以下の利点がもたらされる。
ａ）  接着などの天候に依存する工程をなくすための、タイルの機械的な固定、
ｂ）  タイルの固定に先立つ、支持体表面の耐候性、
ｃ）  損傷時の個々のタイルを取り替え、
ｄ）  タイルの厚さの結果とそのタイルが支持体構造に密に接する結果として、良好な耐衝撃性、
ｅ）  タイル支持体が自己整合性のものであるので、未熟な労働者による据え付け、および正確な測定を考慮する必要がない、さらに、
ｆ）  このシステムが粘土構成要素の製造に固有の公差を許容することができるように、それぞれのタイルを他のタイルとは無関係にタイル支持体の中へ配置しうる。
【００１３】
支持体表面のタイルで外装仕上される部分のほぼ全体領域は、相互に噛み合うタイル支持体で覆われている。このような処置により、ビルディングの外装仕上の速度が増大する。しかも、支持体が金属製であり、かつ水が侵入する開口を後に残さないように相互に嵌まり合うので、支持体が協働することにより、タイル外装に防水性遮蔽がもたらされる。これらの支持体は、ネジ締め以外の方法、たとえば、釘打ち、クリップ留め、あるいは突出しているスタッドへの固着などによって固定することができる。この発明の範囲内では、ある列のタイルをすべてレンガの類似物にすることは必須ではない。
【００１４】
代わりの構成では、それぞれのタイル支持体の上縁は輪郭形成されず（unprofiled）、その下縁はフランジを形成してピップ１２とばね弾性付与部分３とを定めるように曲げられており、それによって、一列のタイルの下縁が支持されかつ保持され、また別の列におけるタイルの上縁が保持される。そのばね弾性付与部分の縁は、水の浸入を防止するべく、隣の長尺材の上縁に当たっている。一番上の列におけるタイルの上縁は、別の保持用長尺材によって保持するようにしてもよい。
【図面の簡単な説明】
【図１】  タイル支持体を通して切断した寸法入り垂直断面図である。
【図２】  レンガの類似物を造るのに使われる単一のタイルを通して切断した寸法入り垂直断面図である。
【図３】  タイル支持体に支持されたタイルを通して切断した垂直断面図である。
【図４】  ピップの配置を図示するための、レンガ壁に似せたタイルの配列を示す正面図である。
【図５】  図３に類似する図であるが、タイルとタイル支持体との変形構成を示すものである。
【符号の説明】
３  フランジ
４  リップ
５  フランジ
６  プロファイル
８  溝
９  ウエブ
１０  罫書き線
１２  ピップ
２０  主要本体部分
２２  前面
２４  （第１）フランジ
２５  上縁
２６  リブ
２８  溝
３０  溝
３２  下縁
３３  上縁
４０  ボルト
【図１】
0003963647.tif 000002
【図２】
0003963647.tif 000003
【図３】
0003963647.tif 000004
【図４】
0003963647.tif 000005
【図５】
0003963647.tif 000006